(57)【要約】【課題】軽量化と、ベルトの耐疲労強度の向上によるタイヤの耐久性向上の両立を図る航空機用空気入りタイヤを提供する。【解決手段】らせん巻ベルト層20の有機繊維製の第１のベルトコード26aは、タイヤ赤道面CLに対して５°以下の角度で延在し、ジグザグベルト層30の有機繊維製の第２のベルトコード36aは、ジグザグベルト層30の各幅方向端縁30aで折り返される折り返し点36bまで、タイヤ赤道面CLに対して２°〜４５°の角度で傾斜して延在し、タイヤ赤道面CLから、ベルト層10の最大ベルト幅Wbの半分の長さの５０％の距離における、らせん巻ベルト層20のベルト積層数のＮ５０と、タイヤ赤道面CLから、最大ベルト幅Wbの半分の長さの９５％の距離における、らせん巻ベルト層20のベルト積層数のＮ９５と、が、Ｎ９５＞Ｎ５０の関係を満たすことにより、軽量化と、ベルトの耐疲労強度の向上によるタイヤの耐久性向上の両立を図ることができる。【選択図】図１
2020100253.tif 000002
【特許請求の範囲】
【請求項１】
一対のビードコア(6)と、
両前記ビードコア(6)間にトロイダル状に延びるカーカスプライ(7a)を一枚以上具備したラジアルカーカス(7)と、
前記ラジアルカーカス(7)のクラウン域の外周側に配設され、前記ラジアルカーカス(7)を補強するベルト層(10)と、を有した航空機用空気入りタイヤにおいて、
前記ベルト層(10)は、
有機繊維からなる第１のベルトコード(26a)がゴムで被覆されたリボン状の第１のストリップ材(26)が、らせん巻にされた構造であり、規定の複数の層(21,22,23,24,25)が重ねられたらせん巻ベルト層(20)と、
有機繊維からなる第２のベルトコード(36a)がゴムで被覆されたリボン状の第２のストリップ材(36)が、前記らせん巻ベルト層(20)の外周側に幅方向端縁(30a)で折り返されてジグザグ状に屈曲しながら、円周方向に延在して巻かれた構造であり、規定の複数の層(31,32,33,34)が重ねられたジグザグベルト層(30)と、を備え、
前記らせん巻ベルト層(20)の前記第１のベルトコード(26a)は、タイヤ赤道面(CL)に対して５°以下の角度で延在し、
前記ジグザグベルト層(30)の前記第２のベルトコード(36a)は、前記ジグザグベルト層(30)の各幅方向端縁(30a)で折り返される折り返し点(36b)まで、前記タイヤ赤道面(CL)に対して２°〜４５°の角度で傾斜して延在し、
前記タイヤ赤道面(CL)から、前記ベルト層(10)の最大ベルト幅(Wb)の半分の長さの５０％の距離における、前記らせん巻ベルト層(20)のベルト積層数のＮ５０と、
前記タイヤ赤道面(CL)から、前記最大ベルト幅(Wb)の半分の長さの９５％の距離における、前記らせん巻ベルト層(20)のベルト積層数のＮ９５と、が、
Ｎ９５＞Ｎ５０
の関係を満たすことを特徴とする航空機用空気入りタイヤ。
【請求項２】
前記Ｎ９５と、前記Ｎ５０とが、
Ｎ９５＝Ｎ５０＋１
の関係を満たすことを特徴とする請求項１に記載の航空機用空気入りタイヤ。
【請求項３】
複数の前記らせん巻ベルト層(20)のうち、タイヤ径方向において最も内側に位置する最内側層(21)は、タイヤ幅方向において前記タイヤ赤道面(CL)に対して一方の側に配置され、
前記最内側層(21)のタイヤ幅方向における端部(21a,21b)のうち、タイヤ幅方向において内側の内端部(21a)は、前記タイヤ赤道面(CL)から所定の間隔のＷｓ１を存して位置し、
前記最内側層(21)の前記端部(21a,21b)のうち、タイヤ幅方向において外側の外端部(21b)は、前記最内側層(21)の前記内端部(21a)よりもタイヤ幅方向外側に位置し、
複数の前記らせん巻ベルト層(20)のうち、タイヤ径方向において最も外側に位置する最外側層(25)は、タイヤ幅方向において前記タイヤ赤道面(CL)に対して一方または他方の側に配置され、
前記最外側層(25)のタイヤ幅方向における端部(25a,25b)のうち、タイヤ幅方向において内側の内端部(25a)は、前記タイヤ赤道面(CL)から所定の間隔のＷｓ２を存して位置され、
前記最外側層(25)の前記端部(25a,25b)のうち、タイヤ幅方向における外側の外端部(25b)は、前記最外側層(25)の前記内端部(25a)よりもタイヤ幅方向外側に位置することを特徴とする請求項１または請求項２に記載の航空機用空気入りタイヤ。
【請求項４】
前記ベルト層(10)の前記最大ベルト幅(Ｗｂ)と、前記Ｗｓ１と、前記Ｗｓ２と、が、
０．７  ≦  Ｗｓ１／（Ｗｂ／２）  ≦  ０．９  
０．７  ≦  Ｗｓ２／（Ｗｂ／２）  ≦  ０．９  
の関係を満たすことを特徴とする請求項３に記載の航空機用空気入りタイヤ。
【発明の詳細な説明】
【技術分野】
【０００１】
本発明は、航空機用空気入りタイヤに関する。
【背景技術】
【０００２】
近年環境意識の高まりにより、航空機の燃費低減が強く求められており、航空機の燃費低減にはタイヤの軽量化が非常に有効である。航空機用タイヤのトレッド部を補強するためにトレッド部の周方向に設けられるベルト層は、有機繊維からなるベルトが多く積層して作られており、このベルト層の積層数を減らすことがタイヤの軽量化に非常に効果的である。
【０００３】
このような軽量化を目的とした従来の航空機用空気入りタイヤとして、タイヤの幅方向におけるタイヤ中央域からタイヤ側部域に向けて、ベルト層の積層数が漸減されているものが知られている（特許文献１参照）。
【０００４】
しかしながら、ベルト層の積層数を減らすとベルトの剛性が低下して、ベルトコードに入る引張・圧縮の歪が大きくなる。航空機の離発着を重ねると、ベルトコードに引張・圧縮歪による疲労が蓄積してベルトコードの強度が低下する。特にタイヤ側部域のベルトの幅方向における端部には、大きな圧縮・引張歪が入り、ベルトコードの強度の低下が大きく、タイヤの耐久性に影響を与えていた。
【０００５】
タイヤの側部域は、タイヤ中央域と対比するとベルトの周長が短いが、接地される領域においては、タイヤ中央域における径と略同じ径になるようベルトが延ばされ、大きな引張歪が入る。その反動で、接地の前後ではベルトが圧縮される。また、航空機の離発着時におけるタイヤの高速走行時では、サイドウォール部に大きな遠心力が働き、このサイドウォール部の遠心力をベルトのタイヤ側部域で受けるため、ベルトのタイヤ側部域には大きな引張入力が入る。
【０００６】
上記したように、タイヤの軽量化と、ベルトコードの耐疲労性能の向上、特にベルトの幅方向端部における耐疲労性能向上によるタイヤの耐久性向上との両立が課題となっている。
【先行技術文献】
【特許文献】
【０００７】
【特許文献１】特許第５９６１３４９号公報
【発明の概要】
【発明が解決しようとする課題】
【０００８】
本発明は、航空機用空気入りタイヤの軽量化と、ベルトの耐疲労性能の向上によるタイヤの耐久性向上の両立を図ることを目的としている。
【課題を解決するための手段】
【０００９】
本発明は、前記目的を達成するために、一対のビードコアと、
両前記ビードコア間にトロイダル状に延びるカーカスプライを一枚以上具備したラジアルカーカスと、
前記ラジアルカーカスのクラウン域の外周側に配設され、前記ラジアルカーカスを補強するベルト層と、を有した航空機用空気入りタイヤにおいて、
前記ベルト層は、
有機繊維からなる第１のベルトコードがゴムで被覆されたリボン状の第１のストリップ材が、らせん巻にされた構造であり、規定の複数の層が数重ねられたらせん巻ベルト層と、
有機繊維からなる第２のベルトコードがゴムで被覆されたリボン状の第２のストリップ材が、前記らせん巻ベルト層の外周側に幅方向端部で折り返されてジグザグ状に屈曲しながら、円周方向に延在して巻かれた構造であり、規定の複数の層が重ねられたジグザグベルト層と、を備え、
前記らせん巻ベルト層の前記第１のベルトコードは、タイヤ赤道面に対して５°以下の角度で延在し、
前記ジグザグベルト層の前記第２のベルトコードは、前記ジグザグベルト層の各幅方向端縁で折り返される折り返し点まで、前記タイヤ赤道面に対して２°〜４５°の角度で傾斜して延在し、
前記タイヤ赤道面から、前記ベルト層の最大ベルト幅の半分の長さの５０％の距離における、前記らせん巻ベルト層のベルト積層数のＮ５０と、
前記タイヤ赤道面から、前記最大ベルトは幅の半分の長さの９５％の距離における、前記らせん巻ベルト層のベルト積層数のＮ９５と、が、
Ｎ９５＞Ｎ５０
の関係を満たすことを特徴とする空気入りタイヤ
【００１０】
本発明は前記したように構成されており、タイヤ赤道面から、ベルト層の最大ベルト幅の半分の長さの５０％の距離におけるらせん巻ベルト層のベルト積層数のＮ５０と、タイヤ赤道面から、最大ベルト幅の半分の長さの９５％の距離におけるらせん巻ベルト層のベルト積層数のＮ９５と、が、Ｎ９５＞Ｎ５０の関係を満たしている。
このようにらせん巻ベルト層は、タイヤ赤道面からベルト層の最大ベルト幅Ｗｂの半分の長さの５０％の距離におけるタイヤ赤道面に近いタイヤ中央域よりも、タイヤ赤道面から最大ベルト幅Ｗｂの半分の長さの９５％の距離におけるタイヤ赤道面から遠いタイヤ側部域において、ベルト積層数が多くなっているので、タイヤ中央域においてベルト層の積層数を少なくすることでタイヤ全体の軽量化を図るとともに、タイヤ側部域においてベルト層の積層数を多くすることで、ベルトのタイヤ側部域における引張・圧縮歪を抑制し、ベルトコードの疲労を改善してベルトの耐疲労性能を向上させ、タイヤ全体の耐久性の向上を図ることができる。
【００１１】
前記構成において、前記Ｎ９５と、前記Ｎ５０とが、
Ｎ９５＝Ｎ５０＋１
の関係を満たすようにしてもよい。
【００１２】
らせん巻ベルト層は、タイヤ赤道面からベルト最大幅の半分の長さの５０％の距離におけるタイヤ赤道面に近いタイヤ中央域よりも、タイヤ赤道面からベルト最大幅の半分の長さの９５％の距離におけるタイヤ赤道面から遠いタイヤ側部域においてベルト積層数が１層多くなっているので、タイヤ中央域においてベルト層の積層数を少なくすることでタイヤ全体の軽量化を図るとともに、タイヤ側部域においてベルト層の積層数を多くすることで、ベルト層のタイヤ側部域における引張・圧縮歪を抑制し、ベルトコードの疲労を改善して耐疲労性能を向上させ、タイヤ全体の耐久性の向上を図ることができる。さらに、タイヤ中央域よりもタイヤ側部域においてベルト層の積層数が１層多くされているので、第１のストリップ材をらせん状に連続的に巻くことが容易になる。
【００１３】
前記構成において、複数のらせん巻ベルト層のうち、タイヤ径方向において最も内側に位置する最内側層を、タイヤ幅方向において前記タイヤ赤道面に対して一方の側に配置し、前記最内側層のタイヤ幅方向における端部のうち、タイヤ幅方向において内側の内端部は、前記タイヤ赤道面から所定の間隔Ｗｓ１を存して位置させ、前記最内側層の前記端部のうち、タイヤ幅方向において外側の外端部を、前記最内側層の前記内端部よりもタイヤ幅方向外側に位置し、複数の前記らせん巻ベルト層のうち、タイヤ径方向において最も外側に位置する最外側層は、タイヤ幅方向において前記タイヤ赤道面に対して一方または他方の側に配置し、前記最外側層のタイヤ幅方向における端部のうち、タイヤ幅方向において内側の内端部は、前記タイヤ赤道面から所定の間隔Ｗｓ２を存して位置させ、前記最外側層の前記端部のうち、タイヤ幅方向における外側の外端部は、前記最外側層の前記内端部よりもタイヤ幅方向外側に位置するようにしてもよい。
【００１４】
前記構成によって、らせん巻ベルト層のタイヤ中央域におけるベルト層の層数を少なくしてタイヤの軽量化を図るとともに、らせん巻ベルト層のタイヤ側域におけるベルト層の数をタイヤ中央域より多くすることによって、ベルトコードの疲労を改善して、ベルトの耐疲労性能を向上させて、タイヤ全体の耐久性を向上することができる。
【００１５】
前記ベルト層の前記最大ベルト幅Ｗｂと、前記Ｗｓ１と、前記Ｗｓ２と、が、
０．７  ≦  Ｗｓ１／（Ｗｂ／２）  ≦  ０．９  
０．７  ≦  Ｗｓ２／（Ｗｂ／２）  ≦  ０．９  
の関係を満たすようにしてもよい。
【００１６】
前記構成したように構成されているので、タイヤ赤道面から、ベルト層の最大ベルト幅Ｗｂの半分の７０％〜９０％までの領域のタイヤ中央域のタイヤ幅方向における広い範囲においてらせん巻ベルト層の積層枚数を少なくして、タイヤをより軽量化することができるとともに、タイヤ赤道面から、ベルト層の最大ベルト幅Ｗｂの半分の７０％〜９０％より外側の領域において、らせん巻ベルト層の積層枚数をタイヤ中央領域より増加することにより、らせん巻ベルト層のタイヤ側部領域の引張・圧縮歪を十分に抑制して、ベルトコードの疲労を改善して、タイヤ全体の耐久性を向上することができる。
【発明の効果】
【００１７】
本発明の航空機用空気入りは、タイヤの軽量化を図るとともに、ベルトコードの疲労を改善してベルトの耐疲労性能の向上を図り、タイヤ全体の耐久性を向上させることができる。
【図面の簡単な説明】
【００１８】
【図１】本発明の第１の実施の形態の航空機用空気入りタイヤが規定のリムに組み込まれ規定内圧にされた状態における幅方向断面図である。
【図２】図１の航空機用空気入りタイヤの一側方の要部拡大幅方向断面図である。
【図３】図１の航空機用空気入りタイヤの他方側の要部拡大幅方向断面図である。
【図４】らせん巻ベルト層の形成例を示す部分展開図である。
【図５】ジグザグベルト層の形成例を示す部分展開図である。
【図６】従来例１の航空機用空気入りタイヤのらせん巻ベルト層の巻き方を示した模式図である。
【図７】従来例２の航空機用空気入りタイヤのらせん巻ベルト層の巻き方を示した模式図である。
【図８】本実施の形態の航空機用空気入りタイヤのらせん巻ベルト層の巻き方を示した模式図である。
【図９】本発明の他の実施形態の航空機用空気入りタイヤのらせん巻ベルト層の巻き方を示した模式図である。
【発明を実施するための形態】
【００１９】
本発明に係る航空機用空気入りタイヤ１の第１の実施の形態を図１ないし図５および図８に基づいて説明する。図１には、本発明の第１の実施の形態の航空機用空気入りタイヤ１（以下タイヤ１という）のタイヤ幅方向の断面図を示している。タイヤ１は適用リム40に組付けられている。
【００２０】
図中、符号ＣＬはタイヤ幅方向中心に相当し、タイヤ回転軸に垂直な平面であるタイヤ赤道面を示す。タイヤ幅方向とはタイヤ回転軸に平行な方向であり、タイヤ径方向とはタイヤ回転軸に垂直に、タイヤ回転軸に近づく方向または遠ざかる方向をいう。
【００２１】
タイヤ１は、左右一対のリング状のビードコア６を埋設したビード部５と、一対のビードコア６間をトロイダル状に延びて架設されるラジアルカーカス７と、該ラジアルカーカス７の径方向外側に周接されるベルト層10と、該ベルト層10の外周面にドレッドゴム38が周接されたトレッド部３と、タイヤ１のサイド部分を覆うサイドウォール部４とを備えている。
【００２２】
ラジアルカーカス７は、一枚以上のカーカスプライ７ａが重ねられたものであって、例えば４〜７枚のカーカスプライ７ａが重ねられてその両端部が、ビードコア６の周囲に半径方向内側から外側に巻き上げられて固定されている。本実施の形態のタイヤ１では、ナイロンコードからなるカーカスプライ７ａが７層重ねられている。
【００２３】
ラジアルカーカス７のクラウン域７ｂのタイヤ径方向外側には、ベルト層10が設けられている。ベルト層10は、ラジアルカーカス７の外周面に巻き付けられるらせん巻ベルト層20と、らせん巻ベルト層20の外周に重ねられるジグザグベルト層30と、ジグザグベルト層の外周に巻き付けられる保護ベルト層37とを備えている。保護ベルト層37の外周面にトレッドゴム38が貼り付けられてトレッド部３とされる。ベルト層10の幅方向における最大ベルト幅をWｂとし、幅方向におけるベルト層10の両縁を幅方向端縁10ａと定義する。
【００２４】
らせん巻ベルト層20と、ジグザグベルト層30は、図４および図５に示されるように、それぞれリボン状の第１のストリップ材としてのらせん巻用ストリップ26、第２のストリップ材としてのジグザグ巻用ストリップ36が所定の巻き方で巻かれたものである。らせん巻用ストリップ26，ジグザグ巻用ストリップ36は、有機繊維製のベルトコード26ａ，36ａが１本又は複数本引き揃えられたものがゴムによって被覆され、所定幅にリボン状に形成されたものである。
【００２５】
らせん巻用ストリップ26，ジグザグ巻用ストリップ36に使用する有機繊維製のベルトコード26ａ，36ａは、本実施の形態では、アラミドのような芳香族ポリアミドによる有機繊維コードが使用されている。または、アラミドのような芳香族ポリアミドと、ナイロンのような脂肪族ポリアミドとの組み合わせで作製されるハイブリッド繊維コードを用いることもできる。
【００２６】
脂肪族ポリアミド繊維と芳香族ポリアミド繊維とのハイブリッドコードとしては、脂肪族ポリアミド繊維からなるヤーンと芳香族ポリアミド繊維からなるヤーンとを撚り合わせたものでもよく、予め脂肪族ポリアミド繊維と芳香族ポリアミド繊維を複合化したヤーンに撚りを加えたものでもよい。
【００２７】
本実施の形態のタイヤ１のらせん巻ベルト層20は、図１ないし図４および図８に示されるように、生タイヤのラジアルカーカス７のクラウン域７ｂに、らせん巻用ストリップ26が、タイヤ周方向にヘリカル状に、隣接するらせん巻用ストリップ26との間に隙間を生じないように、タイヤ幅周方向に所定する量ずれて巻かれて形成される。らせん巻用ストリップ26は、そのベルトコード26ａの角度が、タイヤの赤道面ＣＬに対して５°以下になるように、巻き付けられている。
【００２８】
らせん巻用ストリップ26は、ラジアルカーカス７のクラウン域７ｂに巻き始める際に、ベルト層10のタイヤ幅方向における幅方向端縁10ａの位置から開始せずに、図１に示されるように、タイヤ赤道面ＣＬから所定の間隔のＷｓ１を存して開始される。らせん巻ベルト層20はタイヤ幅方向において、予め幅方向端縁20ａの位置が定められており、この幅方向端縁20ａに向けてらせん状に巻かれていき、タイヤ径方向おける最も内側に位置する最内側層としての第１層21が設けられる。
【００２９】
らせん巻用ストリップ26は、図２および図４に示されるように、らせん巻ベルト層20の幅方向端縁20ａまで巻かれると折り返されて、第１層21の外周面に巻始められ、他方の幅方向端縁20ａに向かって巻き付けられ、順次折り返されて重ねられ、らせん巻ベルト層20の第２層22、第３層23、第４層24、第５層25が積層されていく。らせん巻ベルト層20は、本実施の形態では、タイヤ径方向おける内側から、第１層21、第２層22、第３層23、第４層24、第５層25の５層によって構成されている。本実施の形態では５層構造となっているが、その層数は適宜変更することができる。
【００３０】
タイヤ径方向における最も外側に位置する最外側層としての第５層25においては、図１および図４に示されるように、らせん巻用ストリップ26が、タイヤ赤道面ＣＬに対して第１層21が設けられた一方の側とは反対側の他方の側の幅方向端縁20ａから、タイヤ赤道面ＣＬに向かって巻き付けられ、タイヤ赤道面ＣＬから所定の間隔Ｗｓ２を存した位置において巻き終える。
【００３１】
Ｗｓ1，Ｗｓ２は、少なくともベルト層10の最大ベルト幅Ｗｂの半分の長さの５０％よりも長く設定されている。すなわち図１に示されるように、第１層21および第５層25は、タイヤ赤道面ＣＬからベルト層10の幅方向端縁10ａの半分より、幅方向外側に位置するように設けられている。
【００３２】
より好適には、Ｗｓ２，Ｗｓ２は、最大ベルト幅Ｗｂの半分の長さの、７０％以上９０％以下であり、
０．７  ≦  Ｗｓ１／（Ｗｂ／２）  ≦  ０．９  
０．７  ≦  Ｗｓ２／（Ｗｂ／２）  ≦  ０．９  
を満たす関係である。すなわち第１層21の内端部21ａと、第５層25の内端部25ａは、タイヤ赤道面ＣＬから、最大ベルト幅Ｗｂの半分の長さの７０％以上９０％以下の位置になるように、らせん巻用ストリップ26が巻かれて、らせん巻ベルト層20が設けられる。
【００３３】
らせん巻ベルト層20は、前記したようにらせん巻用ストリップ26が巻かれて作られているので、図２および図３に示されるように、第１層21の内端部21ａより幅方向外側、およぎ第５層25の内端部25ａより幅方向外側の、タイヤ側部域において４層になっており、第１層21の内端部21ａと第５層25の内端部25ａとの間のタイヤ中央域は３層となっている。
【００３４】
このように構成されているので、タイヤ赤道面ＣＬから、ベルト層10の最大ベルト幅Ｗｂの半分の長さの５０％の距離における、前記らせん巻ベルト層20のベルト積層数のＮ５０と、タイヤ赤道面ＣＬから、最大ベルト幅Ｗｂの半分の長さの９５％の距離における、前記らせん巻ベルト層(20)のベルト積層数のＮ９５と、が、
Ｎ９５＞Ｎ５０
を満たす関係となっている。
【００３５】
さらに本実施の形態におけるらせん巻ベルト層20は、
Ｎ９５＝Ｎ５０＋１
を満たす関係となっている。
【００３６】
ジグザグベルト層30は、らせん巻ベルト層20の外側に、図５に示されるように、有機繊維製のベルトコード36ａが１本又は複数本引き揃えられてゴム被覆された所定幅のリボン状のジグザグ巻用ストリップ36が所定の方法で巻き付けられて構成される。ベルトコード36ａはその材質として、アラミドが用いられている。本実施の形態では、アラミドが用いられているが、ジグザグ巻用ストリップ36は、所定されたジグザグベルト層30の幅方向端縁30ａで折り返されて、ジグザグ状に屈曲しながら円周方向に延在して、複数の層が規定数重ねられており、本実施の形態では４層重ねられている。ジグザグ巻用ストリップ36は、隣接するジグザグ巻用ストリップ36との間に隙間を生じないように周方向に所望の量ずれて巻かれている。
【００３７】
このようにしてラジアルカーカス７のクラウン域７ｂの周方向外側に、らせん巻ベルト層20、ジグザグベルト層30、保護ベルト層37が巻き付け、その外周面にトレッドゴム38を巻き付けた状態になるよう生タイヤを作製した後、この生タイヤを加硫成型することで、本実施形態のタイヤ１が得られる。
【００３８】
本実施の形態のタイヤ１におけるらせん巻ベルト層20は、前記したように構成されているので、タイヤ中央域においては、らせん巻ベルト層20の積層数を少なくしてタイヤの軽量化を図ることが可能となり、タイヤ側部域では、らせん巻ベルト層20の積層数を多くしてベルトコード26ａの耐疲労性能を向上させ、タイヤ１の耐久性を向上させることができる。
【００３９】
さらに、Ｎ９５と、Ｎ５０と、が、Ｎ９５＝Ｎ５０＋１  の関係を満たすようにされているので、らせん巻用ストリップ26を連続的に巻くことが容易にできる。
【００４０】
また、Ｗｓ１，Ｗｓ２は、
０．７  ≦  Ｗｓ１／（Ｗｂ／２）  ≦  ０．９  
０．７  ≦  Ｗｓ２／（Ｗｂ／２）  ≦  ０．９  
の関係を満たす関係に設定されており、すなわち、Ｗｓ１，Ｗｓ２は、最大ベルト幅Ｗｂの半分の長さの、７０％以上９０％以下の長さの間に設定されているので、第１層21の内端部21ａおよび第２層25の内端部25ａが、タイヤ赤道面ＣＬから最大ベルト幅Ｗｂの半分の７０％の位置から外側にあるので、らせん巻ベルト層20をより軽量化することができ、タイヤ全体の軽量化を十分に図ることができるとともに、タイヤ赤道面ＣＬから最大ベルト幅Ｗｂの半分の９０％の位置から内側にあるので、ベルト層10の積層枚数が大きい領域を十分に確保することができて、らせん巻ベルト層20のタイヤ側部領域の引張・圧縮歪を十分に抑制して、ベルトコード26ａの疲労を改善して、タイヤ１全体の耐久性を向上することができる。
【実施例】
【００４１】
以上のような構成を有し、サイズが５２×２１．ＯＲ２２のタイヤであって、表１に諸元を示す従来例１、従来例２および実施例１ないし実施例５のタイヤ、ならびに、表３に諸元を示す従来例３、従来例４および実施例６ないし実施例10の各タイヤについて、タイヤ質量、ドラム走行後のベルトコードの強力について求めたところ、表２および表４に指数で示す結果を得た。
【００４２】
表１および表３に示すタイヤは、いずれも、ナイロンコードからなる７層のカーカスプライ７ａが重ねられたラジアルカーカス７と、らせん巻ベルト層20およびジグザグベルト層30を有するベルト層10と、を備えている。表１に示すタイヤは、らせん巻用ストリップ26およびジグザグ巻用ストリップ36のベルトコード材質としてアラミドが用いられている。表３に示すタイヤは、らせん巻用ストリップ26およびジグザグ巻用ストリップ36のベルトコード材質としてアラミドとナイロンとからなるハイブリットコードが用いられている。
【００４３】
【表１】
2020100253.tif 000003
【００４４】
【表２】
2020100253.tif 000004
【００４５】
【表３】
2020100253.tif 000005
【００４６】
【表４】
2020100253.tif 000006
【００４７】
らせん巻ベルト層20の層数は、それぞれ、タイヤ赤道面ＣＬからベルト層10の最大ベルト幅Ｗｂの半分の５０％位置、タイヤ赤道面ＣＬからベルト層10の最大ベルト幅Ｗｂの半分の９５％位置において計測した。
【００４８】
リボン巻き始め位置は、タイヤ赤道面ＣＬかららせん巻ベルト層20の第１層21の内端部21ａまでの距離Ｗｓ１を、タイヤ赤道面ＣＬからベルト層10の最大ベルト幅Ｗｂの半分の長さで除した割合で示した。
【００４９】
各種タイヤにおけるらせん巻ベルト層20のらせん巻用ストリップ26の巻き方については、第１、第２、第３、第４のいずれかが選択的に示されている。第１ないし第４の巻き方は、それぞれ第６図ないし第９図に模式的に示されている。これらの巻模式図では、左右方向をタイヤ幅方向とし、上に行くに従いタイヤ径方向外側になるように示されている。
【００５０】
第１の巻き方は、図６に示されるように、らせん巻ベルト層20の側部域から中央域にいくに従い、らせん巻ベルト層20の層数が漸増している巻き方である。第２の巻き方は、図７に示されるように、らせん巻ベルト層20の層数は、タイヤ中央域の方がタイヤ側部域よりも多い巻き方である。第３の巻き方は、本発明の実施形態のタイヤ１における巻き方であって、図８に示されるように、らせん巻ベルト層20の層数は、タイヤ側域部の方がタイヤ中央域より多い巻き方である。第４の巻き方は、第９図に示されるように、らせん巻用ストリップ26を、最内側層の第１層として、タイヤの幅方向における一側のタイヤ赤道面ＣＬからＷｓ１の距離の位置から巻始め、らせん巻ベルト層20の幅方向端縁20ａで折り返し、第２層を重ねていく。さらに、タイヤの幅方向における他側において、らせん巻ベルト層20の幅方向端縁20ａまで巻いたのち折り返し、第３層および第４層は他側においてタイヤ赤道面ＣＬまでいかずに折り返して再び幅方向端縁20ａまで巻いたのち折り返す。第５層ないし第７層では、幅方向端縁20ａまで巻いて折り返し、第８層は、タイヤ赤道面ＣＬからＷｓ２の距離で巻き終わる。
【００５１】
タイヤ質量については、各種類につきそれぞれタイヤを１０本試作し、得られた各タイヤの質量を計測して１０本の質量の平均値を求める試験を行った。試験結果は、従来例２および実施例１〜実施例５は、従来例１のタイヤの質量を１００とした指数で表して比較した。従来例４および実施例６〜実施例10は、従来例３のタイヤの質量を１００とした指数で表して比較した。この指数が小さい程、タイヤ重量は軽くて、タイヤが高性能であることを示している。数値が大きい程重量が増加し、数値が小さい程、重量が減少してタイヤの軽量化が図れたことを示している。
【００５２】
ドラム走行後のベルトコード強力については、以下のように計測した。各タイヤを規定リムに取り付け、規定内圧に充填して、ドラム試験を行った。市場を模擬した荷重、速度で、一定距離だけドラム走行させた後に、タイヤを解剖してらせん巻ベルト層のベルトコードを取り出して強力を測定して評価した。試験結果は、従来例２および実施例１〜実施例５は、従来例１のタイヤから取り出したコードの強力を１００とした指数で表して比較した。従来例４および実施例６〜実施例10は、従来例３のタイヤから取り出したコードの強力を１００とした指数で表して比較した。この指数が大きい程、ベルトコードの疲労が小さく耐疲労性能がよく、タイヤの耐久性が高いことを示している。
【００５３】
本発明の実施例１ないし実施例５では、らせん巻ベルト層20のらせん巻用ストリップ26の巻き方は、図８に示されるような第３の巻き方で巻かれていたが、本発明の他の実施例としてこのように構成されているので、らせん巻ベルト層10のタイヤ側部域の積層数を多くし、タイヤ中央域の積層数を少なくし、タイヤの軽量化を図りつつ、ベルトコードの耐疲労性を向上させて、タイヤの耐久性が向上する。
【００５４】
以上、本発明の実施形態につき説明したが、本発明の態様が上記実施形態に限定されず、本発明の要旨の範囲で、多様な態様で実施されるものを含むことは勿論である。
【符号の説明】
【００５５】
１…航空機用空気入りタイヤ、３…トレッド部、４…サイドウォール部、５…ビード部、６…ビードコア、７…ラジアルカーカス、７ａ…カーカスプライ、７ｂ…クラウン域、
10…ベルト層、10ａ…幅方向端縁、20…らせん巻ベルト層、21…第１層、21ａ…内端部、21ｂ…外端部、22…第２層、23…第３層、24…第４層、25…第５層、25ａ…内端部、25ｂ…外端部、26…らせん巻用ストリップ、26ａ…ベルトコード
30…ジグザグベルト層、31…第１層、32…第２層、33…第３層、34…第４層、36…ジグザグ巻用ストリップ、36ａ…ベルトコード、37…保護ベルト層、38…トレッドゴム、40…適用リム。
【図１】
2020100253.tif 000007
【図２】
2020100253.tif 000008
【図３】
2020100253.tif 000009
【図４】
2020100253.tif 000010
【図５】
2020100253.tif 000011
【図６】
2020100253.tif 000012
【図７】
2020100253.tif 000013
【図８】
2020100253.tif 000014
【図９】
2020100253.tif 000015